(57)【要約】【課題】羽根体姿勢を安定に維持しながら、羽根体と受け部との密接度の経時変化を無くして漏れ量を少なくすることが可能となるダンパ装置を提供する。【解決手段】流路断面開口を閉じる閉位置と流路断面開口を閉じない開位置とに回動自在な羽根体２４ａ及び閉位置に回動した羽根体２４ａの縁部に密接する流路内壁側の受け部を有する開閉ダンパが２つの流路の夫々に設置され、２つの開閉ダンパの羽根体２４ａをその一方が閉位置に回動したときに他方が開位置に回動するように連係操作する羽根体駆動機構３００が、駆動動力源２７からの回動駆動力を羽根体２４ａの回動軸２４ｃに伝達する構成において、開位置に回動している羽根体２４ａの回動軸２４ｃに軸回りの保持力を働かせて規制する規制手段４００と、閉位置に回動した羽根体２４ａの縁部を弾性付勢力によってに押し付ける付勢手段５００を備えている。【選択図】        図２
2004218951.tif 000002
【特許請求の範囲】
【請求項１】
流路断面開口を閉じる閉位置と流路断面開口を閉じない開位置とに回動自在な羽根体及び前記閉位置に回動した前記羽根体の縁部に密接する流路内壁側の受け部を有する開閉ダンパが２つの流路の夫々に設置され、
前記２つの開閉ダンパの羽根体をその一方が前記閉位置に回動したときに他方が前記開位置に回動するように連係操作する羽根体駆動機構を備えたダンパ装置であって、
前記羽根体駆動機構が、駆動動力源からの回動駆動力を前記羽根体の回動軸に伝達する構成において、前記開位置に回動している前記羽根体の回動軸に軸回りの保持力を働かせ且つその保持力が小さくならないように規制する規制手段と、前記閉位置に回動した前記羽根体の縁部を弾性付勢力によって前記受け部に押し付ける付勢手段を備えているダンパ装置。
【請求項２】
前記２つの開閉ダンパの羽根体が、１つの回動軸体に互いに異なる回動角度状態で保持され、
前記規制手段が、前記回動駆動力を受けて各別に回動する一対の駆動アームの各先端部と前記回動軸体に取り付けた従動アームの両端部の夫々の間に、伸び状態又は縮み状態のバネと、前記伸び状態のバネに対応して縮み動作を制限するか又は前記縮み状態のバネに対応して伸び動作を制限する伸縮ロッドを並列配置して構成され、
前記付勢手段が、前記伸び状態又は縮み状態のバネで構成されて、前記伸び状態のバネを伸張させて前記弾性付勢力を発生させるか又は前記縮み状態のバネを収縮させて前記弾性付勢力を発生させる請求項１記載のダンパ装置。
【請求項３】
前記２つの開閉ダンパの羽根体が、夫々別の回動軸体に保持され、
前記規制手段が、前記回動駆動力を受けて回動する駆動アームの一端部と前記各回動軸体に取り付けた従動アームの一端部の間に、伸び状態又は縮み状態のバネを配置し、前記駆動アームの他端部と前記従動アームの他端部の間に、前記伸び状態のバネに対応して伸び動作を制限するか又は前記縮み状態のバネに対応して縮み動作を制限する伸縮ロッドを配置して構成され、
前記付勢手段が、前記伸び状態又は縮み状態のバネで構成されて、前記伸び状態のバネを伸張させて前記弾性付勢力を発生させるか又は前記縮み状態のバネを収縮させて前記弾性付勢力を発生させる請求項１記載のダンパ装置。
【請求項４】
前記羽根体が弾性部材で構成されるとともに、前記羽根体駆動機構が前記回動軸体の一方の端部側に回動駆動力を伝達し、
前記羽根体が前記閉位置に回動して前記羽根体の縁部が前記受け部に当り始めるときに前記受け部との間に形成される隙間が、前記回動軸体の前記羽根体駆動機構から回動駆動力が伝達される端部側に近いほど広くなるように、前記羽根体と前記受け部の位置関係が設定されている請求項２又は３記載のダンパ装置。
【請求項５】
前記２つの流路が他の１つの流路から分岐した分岐流路である請求項１〜４のいずれかに記載のダンパ装置。
【発明の詳細な説明】
【０００１】
【発明の属する技術分野】
本発明は、流路断面開口を閉じる閉位置と流路断面開口を閉じない開位置とに回動自在な羽根体及び前記閉位置に回動した前記羽根体の縁部に密接する流路内壁側の受け部を有する開閉ダンパが２つの流路の夫々に設置され、前記２つの開閉ダンパの羽根体をその一方が前記閉位置に回動したときに他方が前記開位置に回動するように連係操作する羽根体駆動機構を備えたダンパ装置に関する。
【０００２】
【従来の技術】
上記ダンパ装置は、例えば、排熱回収型の吸収式冷凍機において排ガスの方向を切り換える分岐用ダンパ、または空調機器において冷気や暖気の方向を切り換える分岐用ダンパとして使用されるが、従来、電動モータ等の駆動動力源からの回動駆動力を前記羽根体の回動軸に伝達して羽根体を開位置と閉位置とに回動させる羽根体駆動機構は、歯車伝動機構等を用いた簡単な構造のものであった（例えば、特許文献１参照）。
【０００３】
【特許文献１】
特開２００２−１２０１９号公報（第２−６頁、図１−図８）
【０００４】
【発明が解決しようとする課題】
しかしながら、上記従来技術では、羽根体を閉位置に回動した直後は羽根体縁部が受け部に密接していても、時間経過に伴って羽根体縁部を受け部に押し付ける力が緩み、羽根体縁部と受け部の隙間が徐々に広がって漏れ量が多くなるおそれがあった。特に羽根体が弾性のある板材のときには、羽根体が捻れて撓むため、羽根体縁部と受け部の間に平行な隙間を取っても、均等な力で羽根体を受け部に押し付けることができず、隙間が多くなって漏れ量が増大する場合がある。
また、上記従来技術では、開位置にある羽根体の回動軸に力が働かないフリー状態が発生して、羽根体の姿勢が不安定になるおそれもあった。
【０００５】
なお、上記のようにダンパの漏れ量が多くなると、吸収式冷凍機の場合には、運転停止状態において熱交換器流路に排ガスを通さないようにダンパを閉作動させていても、熱交換器流路に漏れてくる排ガスによって熱交換器が加熱され、その結果、再生器内の冷媒溶液が不必要に加熱されて蒸気が発生する等の不都合が起きる。
【０００６】
本発明は、上記実情に鑑みてなされたものであり、その目的は、羽根体姿勢を安定に維持しながら、羽根体と受け部との密接度の経時変化を無くして漏れ量を少なくすることが可能となるダンパ装置を提供することにある。
【０００７】
【課題を解決するための手段】
上記目的を実現するためのダンパ装置の請求項１に係る発明の特徴構成は、前記羽根体駆動機構が、駆動動力源からの回動駆動力を前記羽根体の回動軸に伝達する構成において、前記開位置に回動している前記羽根体の回動軸に軸回りの保持力を働かせ且つその保持力が小さくならないように規制する規制手段と、前記閉位置に回動した前記羽根体の縁部を弾性付勢力によって前記受け部に押し付ける付勢手段を備えている点にある。
【０００８】
すなわち、駆動動力源からの回動駆動力を２つの開閉ダンパの羽根体の回動軸に伝達して、その２つの羽根体を一方が閉位置に他方が開位置に回動するように連係操作するときに、開位置に回動している羽根体の回動軸には、規制手段によって小さくならないように規制された軸回りの保持力が働くので、羽根体の回動軸はその保持力で保持され、羽根体の姿勢が安定する。一方、羽根体が閉位置に回動すると、付勢手段が羽根体の縁部を弾性付勢力によって流路内壁側の受け部に押し付けるので、時間が経過しても羽根体の縁部と受け部の密接度が上記弾性付勢力により高く保たれ、漏れ量の増加が防止される。
従って、羽根体姿勢を安定に維持しながら、羽根体と受け部との密接度の経時変化を無くして漏れ量を少なくすることが可能となるダンパ装置が提供される。
【０００９】
請求項２に係る発明の特徴構成は、請求項１に係る発明において、前記２つの開閉ダンパの羽根体が、１つの回動軸体に互いに異なる回動角度状態で保持され、前記規制手段が、前記回動駆動力を受けて各別に回動する一対の駆動アームの各先端部と前記回動軸体に取り付けた従動アームの両端部の夫々の間に、伸び状態又は縮み状態のバネと、前記伸び状態のバネに対応して縮み動作を制限するか又は前記縮み状態のバネに対応して伸び動作を制限する伸縮ロッドを並列配置して構成され、前記付勢手段が、前記伸び状態又は縮み状態のバネで構成されて、前記伸び状態のバネを伸張させて前記弾性付勢力を発生させるか又は前記縮み状態のバネを収縮させて前記弾性付勢力を発生させる点にある。
【００１０】
すなわち、２つの開閉ダンパの羽根体が互いに異なる回動角度状態で保持された１つの回動軸体を異なる角度に回動駆動することにより、２つの羽根体の一方が閉位置に他方が開位置に回動するように連係操作される。
また、回動駆動力を受ける一対の駆動アームの各先端部と上記回動軸体に取り付けた従動アームの両端部の夫々の間に、伸び状態のバネと縮み動作を制限する伸縮ロッドを並列配置した場合には、伸び状態のバネが縮もうとすることで開位置に回動している羽根体の回動軸体に軸回りに保持力が働くとともに、そのバネの縮み動作が伸縮ロッドによって制限され上記保持力が小さくならないように規制される。逆に、縮み状態のバネと伸び動作を制限する伸縮ロッドを並列配置した場合には、縮み状態のバネが伸びようとすることで開位置に回動している羽根体の回動軸体に軸回りに保持力が働くとともに、そのバネの伸び動作が伸縮ロッドによって制限され上記保持力が小さくならないように規制される。
【００１１】
さらに、上記伸び状態のバネで付勢手段を構成した場合には、駆動アームを回動駆動してそのバネを伸張させて閉位置に回動した羽根体の縁部を受け部に押し付ける前記弾性付勢力を発生させ、一方、上記縮み状態のバネで付勢手段を構成した場合には、駆動アームを回動駆動してそのバネを収縮させて閉位置に回動した羽根体の縁部を受け部に押し付ける前記弾性付勢力を発生させる。
【００１２】
従って、１つの回動軸体を回動駆動して２つの羽根体を開閉作動させるので、その駆動用のリンク構造などの駆動機構を簡素に構成することができ、しかも、その駆動機構の構成要素を利用して羽根体姿勢を安定に維持するための保持力を発生させる規制手段や、羽根体と受け部との密接度の経時変化を無くすための付勢手段を構成でき、本発明に係るダンパ装置の好適な実施形態が提供される。
【００１３】
請求項３に係る発明の特徴構成は、請求項１に係る発明において、前記２つの開閉ダンパの羽根体が、夫々別の回動軸体に保持され、前記規制手段が、前記回動駆動力を受けて回動する駆動アームの一端部と前記各回動軸体に取り付けた従動アームの一端部の間に、伸び状態又は縮み状態のバネを配置し、前記駆動アームの他端部と前記従動アームの他端部の間に、前記伸び状態のバネに対応して伸び動作を制限するか又は前記縮み状態のバネに対応して縮み動作を制限する伸縮ロッドを配置して構成され、前記付勢手段が、前記伸び状態又は縮み状態のバネで構成されて、前記伸び状態のバネを伸張させて前記弾性付勢力を発生させるか又は前記縮み状態のバネを収縮させて前記弾性付勢力を発生させる点にある。
【００１４】
すなわち、２つの開閉ダンパの羽根体が夫々保持された別の回動軸体を夫々回動駆動することにより、２つの羽根体の一方が閉位置に他方が開位置に回動するように連係操作される。
また、回動駆動力を受ける駆動アームの一端部と上記各回動軸体に取り付けた従動アームの一端部の間に伸び状態のバネを配置し、上記駆動アームの他端部と上記従動アームの他端部の間に伸び動作を制限する伸縮ロッドを配置した場合には、伸び状態のバネが縮もうとすることで開位置に回動している羽根体の回動軸体に軸回りに保持力が働くとともに、そのバネの縮み動作が伸縮ロッドによって制限され上記保持力が小さくならないように規制される。逆に、上記駆動アームの一端部と上記従動アームの一端部の間に縮み状態のバネを配置し、上記駆動アームの他端部と上記従動アームの他端部の間に縮み動作を制限する伸縮ロッドを配置した場合には、縮み状態のバネが伸びようとすることで開位置に回動している羽根体の回動軸体に軸回りに保持力が働くとともに、そのバネの伸び動作が伸縮ロッドによって制限され上記保持力が小さくならないように規制される。
【００１５】
さらに、上記伸び状態のバネで付勢手段を構成した場合には、駆動アームを回動駆動してそのバネを伸張させて閉位置に回動した羽根体の縁部を受け部に押し付ける前記弾性付勢力を発生させ、一方、上記縮み状態のバネで付勢手段を構成した場合には、駆動アームを回動駆動してそのバネを収縮させて閉位置に回動した羽根体の縁部を受け部に押し付ける前記弾性付勢力を発生させる。
【００１６】
従って、２つの羽根体を別の回動軸体に取り付けて各回動軸体を回動させるので、例えば、２つの羽根体を回動させる際の負荷の相異に容易に対応することができ、しかも、その羽根体駆動機構の構成要素を利用して羽根体姿勢を安定に維持するための保持力を発生させる規制手段や、羽根体と受け部との密接度の経時変化を無くすための付勢手段を構成でき、本発明に係るダンパ装置の好適な実施形態が提供される。
【００１７】
請求項４に係る発明の特徴構成は、請求項２又は３に係る発明において、前記羽根体が弾性部材で構成されるとともに、前記羽根体駆動機構が前記回動軸体の一方の端部側に回動駆動力を伝達し、前記羽根体が前記閉位置に回動して前記羽根体の縁部が前記受け部に当り始めるときに前記受け部との間に形成される隙間が、前記回動軸体の前記羽根体駆動機構から回動駆動力が伝達される端部側に近いほど広くなるように、前記羽根体と前記受け部の位置関係が設定されている点にある。
【００１８】
すなわち、前記羽根体駆動機構が、弾性部材で構成された前記羽根体の回動軸体の一方の端部側に回動駆動力を伝達して、前記羽根体を開位置と閉位置に回動操作し、しかも、羽根体が前記閉位置に回動して羽根体の縁部が前記受け部に当り始めるときに受け部との間に形成される隙間が、羽根体の回動軸体の前記羽根体駆動機構から回動駆動力が伝達される端部側に近いほど広いので、羽根体の縁部が上記受け部で受止められるときに、上記回動駆動力が伝達される端部側から遠い羽根体縁部箇所から先に受け部に当り、羽根体が弾性変形しながら上記回動駆動力が伝達される端部側に近い羽根体縁部箇所が受け部に順次当って、羽根体の縁部の全体が受け部に密接する。
従って、弾性部材で構成された羽根体のたわみ（しなり）効果を利用して、羽根体縁部と受け部との間の密接度を一層高くすることが可能となるダンパ装置の好適な実施形態が提供される。
【００１９】
請求項５に係る発明の特徴構成は、請求項１〜４に係る発明において前記２つの流路が他の１つの流路から分岐した分岐流路である点にある。
すなわち、他の１つの流路から分岐した分岐流路となる前記２つの流路の夫々に設置された前記２つの開閉ダンパを、一方が閉位置のときは他方が開位置となるように連係操作することにより、他の１つの流路に供給される流体を前記２つの流路のいずれに流すかを切り替えることができる。
従って、本発明のダンパ装置を利用して、三方弁などの形態で使われる分岐用ダンパとして、流体の漏れが少なく、良好な流路切り換え性能を実現することができる分岐用ダンパが提供される。
【００２０】
【発明の実施の形態】
本発明に係るダンパ装置の第１及び第２実施形態について図面に基づいて説明する。
〔第１実施形態〕
先ず、図１に、本発明に係るダンパ装置を備えて、例えば排熱回収型の吸収式冷温水機に使用される排熱回収装置を示す。本排熱回収装置には、熱交換器１００と、排ガスを熱交換器１００に通流させる熱交換器流路２１と、排ガスを熱交換器１００から迂回させるバイパス流路２２と、排ガスの流路を上記熱交換器流路２１又は上記バイパス流路２２に切換える流路切換手段２００と、熱交換器流路２１内に空気を送り込む送風器２３を備えている。尚、上記熱交換器１００は、例えば図示しない高温再生器１１の加熱管１１ａと高温再生器１１に流入する冷媒液を予熱加熱する予備熱交換器１６ｃで構成され、熱交換器流路２１はこれらに対して一体の流路に形成されている。
【００２１】
本発明のダンパ装置では、図２〜図４に示すように、流路断面開口を閉じる閉位置と流路断面開口を閉じない開位置とに回動自在な羽根体２４ａ及び前記閉位置に回動された羽根体２４ａの縁部に密接する流路内壁側の受け部２４ｂを有する開閉ダンパ２４が２つの流路の夫々に設置され、前記２つの開閉ダンパ２４の羽根体２４ａをその一方が前記閉位置に回動したときに他方が前記開位置に回動するように連係操作する羽根体駆動機構３００を備えている。
【００２２】
具体的には、前記熱交換器流路２１と前記バイパス流路２２が２つの流路に対応し、この２つの流路２１，２２は他の１つの流路（排ガスの流入側及び排出側の各流路）から分岐した分岐流路である。また、前記熱交換器流路２１の入口箇所２１ｂと前記バイパス流路２２の入口箇所２２ｂの夫々に位置する２つの開閉ダンパ２４−２，２４−４が上記２つの流路に設置した開閉ダンパに対応し、前記熱交換器流路２１の出口箇所２１ａと前記バイパス流路２２の出口箇所２２ａの夫々に位置する２つの開閉ダンパ２４−１，２４−３が上記２つの流路に設置した開閉ダンパに対応する。なお、上記羽根体２４ａは、鋼板等の弾性部材で構成されている。
【００２３】
そして、前記流路切換手段２００は、熱交換器流路２１を排ガス流路とする場合は、本発明のダンパ装置を作動させて、熱交換器流路２１の入口箇所２１ｂと出口箇所２１ａの両ダンパ２４−２，２４−１を開操作し、バイパス流路２２の入口箇所２２ｂと出口箇所２２ａの両ダンパ２４−４，２４−３を閉操作するとともに、前記送風器２３の送風作動を停止させ、バイパス流路２２を排ガス流路とする場合は、本発明のダンパ装置を作動させて、熱交換器流路２１の入口箇所２１ｂと出口箇所２１ａの両ダンパ２４−２，２４−１を閉操作し、バイパス流路２２の入口箇所２２ｂと出口箇所２２ａの両ダンパ２４−４，２４−３を開操作するとともに、前記送風器２３を送風作動させる。なお、図１は、熱交換器流路２１を排ガス流路とする場合を示す。
【００２４】
前記２つの開閉ダンパ２４、即ち、熱交換器流路入口箇所２１ｂとバイパス流路入口箇所２２ｂの２つの開閉ダンパ２４−２，２４−４、及び、前記熱交換器流路出口箇所２１ａと前記バイパス流路出口箇所２２ａの２つの開閉ダンパ２４−１，２４−３の羽根体２４ａが夫々別の回動軸体２４ｃに保持されている。
【００２５】
そして、前記羽根体駆動機構３００が、駆動動力源からの回動駆動力を前記羽根体２４ａの回動軸に伝達する構成において、前記開位置に回動している前記羽根体２４ａの回動軸に軸回りの保持力を働かせ且つその保持力が小さくならないように規制する規制手段４００と、前記閉位置に回動した羽根体２４ａの縁部をバネ２５，２６の弾性付勢力によって前記受け部２４ｂに押し付ける付勢手段５００を備えている。
【００２６】
羽根体駆動機構３００は、前記熱交換器流路入口箇所２１ｂと前記バイパス流路入口箇所２２ｂの２つの開閉ダンパ２４−２，２４−４の前記羽根体２４ａを連係操作する入口側駆動機構部３００Ｂと、前記熱交換器流路出口箇所２１ａと前記バイパス流路出口箇所２２ａの２つの開閉ダンパ２４−１，２４−３の前記羽根体２４ａを連係操作する出口側駆動機構部３００Ａからなる。
【００２７】
上記入口側駆動機構部３００Ｂ及び出口側駆動機構部３００Ａは同様な構成であり、以下、入口側駆動機構部３００Ｂを例に説明する。入口側駆動機構部３００Ｂにおいて、前記規制手段４００が、駆動動力源からの回動駆動力を受けて回動する駆動アームＫＡの一端部と前記各回動軸体２４ｃに取り付けた従動アームＪＡの一端部の間に、伸び状態のバネＳＰを配置し、前記駆動アームＫＡの他端部と前記従動アームＪＡの他端部の間に、前記伸び状態のバネＳＰに対応して伸び動作を制限する伸縮ロッドを配置して構成され、前記付勢手段５００が、前記伸び状態のバネＳＰで構成されて、前記伸び状態のバネＳＰを伸張させて前記弾性付勢力を発生させるように構成されている。
【００２８】
具体的には、前記駆動動力源として回動駆動力を発生するモータ２７、モータ２７の駆動力を伝達する減速機２８、減速機２８の出力軸で回転駆動される第１レバー２９、熱交換器流路入口箇所２１ｂのダンパ２４−２の羽根体２４ａの回動軸体２４ｃに固定された第２レバー３０、バイパス流路入口箇所２２ｂのダンパ２４−４の羽根体２４ａの回動軸体２４ｃに固定された第３レバー３１、上記第１レバー２９と第２レバー３０の各端部同士を連結する第１バネ２５と第１ロッド３２、上記第２レバー３０と第３レバー３１の各端部同士を連結する第２バネ２６及び補助アーム３５と第２ロッド３３、前記各羽根体２４ａが前記閉位置に回動されたことを検出するために前記第１レバー２９に設けた一対の係止部２９ａが接触してオン作動する一対のリミットスイッチ３４ａ，３４ｂ、及び、図示しないコントローラ等を備えて構成されている。なお、上記リミットスイッチ３４ａ，３４ｂは、第１レバー２９のオーバー回転を防止するストッパ部材３６に取り付けられている。
【００２９】
従って、上記具体構成において、熱交換器流路入口箇所２１ｂのダンパ２４−２の羽根体２４ａの回動軸体２４ｃを回動駆動する場合には、上記第１レバー２９が前記駆動アームＫＡに対応し、第２レバー３０が前記従動アームＪＡに対応する。また、バイパス流路入口箇所２２ｂのダンパ２４−４の羽根体２４ａの回動軸体２４ｃを回動駆動する場合には、上記第２レバー３０が前記駆動アームＫＡに対応し、第３レバー３１が前記従動アームＪＡに対応する。さらに、上記第１バネ２５と第２バネ２６が前記伸び状態のバネＳＰに対応し、上記第１ロッド３２と第２ロッド３３が前記伸縮ロッドＳＲに対応する。
【００３０】
そして、上記第１バネ２５が伸び状態にあるため、収縮しようとするがその収縮動作が第１ロッド３２によって規制されるので、その第１ロッド３２の規制位置で羽根体２４ａの回動軸体２４ｃに軸回りに一定の保持力が作用し、前記閉位置に回動するまでは前記羽根体２４ａの姿勢が安定するように保持される。なお、図４は、熱交換器流路２１の入口箇所２１ｂのダンパ２４−２が閉位置に回動され、バイパス流路２２の入口箇所２２ｂのダンパ２４−４が開位置に回動された状態を示す。
【００３１】
図３に示すように、コントローラからの駆動指令を受けてモータ２７が作動して第１レバー２９を図の正面視で右側に回転させると、第１バネ２５が引っ張られ且つ第１ロッド３２が押されて第２レバー３０を右側に回転させ、熱交換器流路入口箇所２１ｂのダンパ２４−２の羽根体２４ａを閉位置に回動させる。このとき、羽根体２４ａの縁部が受け部２４ｂに当たって、前記第１ロッド３２による規制状態が解除されるので、前記第１バネ２５のバネ力が直接作用し、モータ２７によって第１レバー２９を回転させるほど、羽根体２４ａの縁部の受け部２４ｂに対する押圧力が増大する。そして、第１レバー２９がリミットスイッチ３４ａに当ってオンした信号がコントローラに入力され、コントローラがモータ２７の作動を停止させる。このとき、第２レバー３０の動きによって第２バネ２６が引っ張られるとともに第２ロッド３３が押されて第３レバー３１を回転させ、バイパス流路入口箇所２２ｂのダンパ２４−４の羽根体２４ａを開位置に回動させる。
【００３２】
熱交換器流路入口箇所２１ｂのダンパ２４−２の羽根体２４ａを開位置に回動させ、バイパス流路入口箇所２２ｂのダンパ２４−４の羽根体２４ａを閉位置に回動させるときは、図４に示すように、第１レバー２９を上記と逆方向に回転駆動させる。以下、各部材が図３に示す動作と逆の動作をする。
【００３３】
ここで、入口側駆動機構部３００Ｂ及び出口側駆動機構部３００Ａの変形構成として、前記バネＳＰを縮み状態のバネに替え、前記伸縮ロッドＳＲを縮み動作を制限する伸縮ロッドに替えてもよい。すなわち、入口側駆動機構部３００Ｂ及び出口側駆動機構部３００Ａが、駆動動力源からの回動駆動力を受けて回動する駆動アームＫＡの一端部と前記各回動軸体２４ｃに取り付けた従動アームＪＡの一端部の間に、縮み状態のバネＳＰを配置し、前記駆動アームＫＡの他端部と前記従動アームＪＡの他端部の間に、前記縮み状態のバネＳＰに対応して縮み動作を制限する伸縮ロッドＳＲを配置した規制手段４００と、前記縮み状態のバネＳＰで構成されて、前記縮み状態のバネＳＰを収縮させて前記弾性付勢力を発生させる付勢手段５００とを備えている。
【００３４】
さらに、図５に示すように、前記羽根体駆動機構３００が前記羽根体２４ａの回動軸体２４ｃの一方の端部側（図では、右手前側）に回動駆動力を伝達し、羽根体２４ａが前記閉位置に回動して羽根体２４ａの縁部が前記受け部２４ｂに当り始めるときに受け部２４ｂとの間に形成される隙間ｓｋが、前記回動軸体２４ｃの前記羽根体駆動機構３００から回動駆動力が伝達される端部側（即ち、前記第２レバー３０又は第３レバー３１が取り付けられた端部側）に近いほど広くなるように、前記羽根体２４ａと前記受け部２４ｂの位置関係が設定されている。
【００３５】
〔第２実施形態〕
次に、本発明のダンパ装置の第２実施形態について説明する。
この第２実施形態では、前記２つの開閉ダンパ２４の羽根体２４ａが、１つの回動軸体２４ｃに互いに異なる角度状態で取り付けられている点を除いて第１実施形態と同様に構成されている。以下、相違点について説明する。
即ち、図６〜図９に示すように、前記熱交換器流路入口箇所２１ｂと前記バイパス流路入口箇所２２ｂの２つの開閉ダンパの羽根体２４−２，２４−４が１つの回動軸体２４ｃに互いに異なる回動角度状態（具体的には、９０度）で保持され、前記熱交換器流路出口箇所２１ａと前記バイパス流路出口箇所２２ａの２つの開閉ダンパ２４−１，２４−３の羽根体２４ａが１つの回動軸体２４ｃに互いに異なる回動角度状態（具体的には、９０度）で保持され、前記羽根体駆動機構３００（入口側駆動機構部３００Ｂ及び出口側駆動機構部３００Ａ）に備えた前期規制手段４００が、駆動動力源からの回動駆動力を受けて各別に回動する一対の駆動アームＫＡの各先端部と前記回動軸体２４ｃに取り付けた従動アームＪＡの両端部の夫々の間に、伸び状態のバネＳＰと、前記伸び状態のバネＳＰに対応して縮み動作を制限する伸縮ロッドＳＲとを並列配置して構成され、前記付勢手段５００が、前記伸び状態のバネＳＰで構成されて、前記伸び状態のバネＳＰを伸張させて前記弾性付勢力を発生させるように構成されている。
【００３６】
具体的には、駆動力を発生するモータ４０、モータ４０の駆動力を伝達する減速機４１、減速機４１の出力軸で回転駆動される第４レバー４２、第４レバー４２の回転軸に近接した位置に基端部を枢支された前記一対の駆動アームＫＡとしての揺動アーム４３ａ，４３ｂ、前記回動軸体２４ｄに連結固定された第５レバー４８、上記一対の揺動アーム４３ａ，４３ｂの一方の先端部と第５レバー４８の一方の端部間を連結する前記伸び状態のバネＳＰとしての第３バネ４４及び前記伸縮ロッドＳＲとしての第３ロッド４５、上記一対の揺動アーム４３ａ，４３ｂの他方の先端部と第５レバー４８の他方の端部間を連結する前記伸び状態のバネＳＰとしての第４バネ４６及び前記伸縮ロッドＳＲとしての第４ロッド４７、前記各羽根体２４ａが前記閉位置に回動されたことを検出するために前記第４レバー４２に設けた一対の係止部４２ａが接触してオン作動する一対のリミットスイッチ５１ａ，５１ｂ、及び、図示しないコントローラ等を備えて構成されている。なお、上記リミットスイッチ５１ａ，５１ｂは、第４レバー４２のオーバー回転を防止するストッパ部材５０に取り付けられている。
【００３７】
上記第３ロッド４５及び第４ロッド４７は収縮方向の動作が規制される構造で、その規制位置において第３バネ４４及び第４バネ４６は伸び状態にあり、前記回動軸体２４ｄに回動軸回りに一定の保持力が作用している。これによって、前記実施形態と同様に、前記閉位置に回動するまでは前記羽根体２４ａの姿勢を安定に保持している。
【００３８】
上記構造において、図８（イ）に示すように、コントローラからの駆動指令を受けてモータ４０が作動して第４レバー４２を図の正面視で右側に回転させると、左側の揺動アーム４３ａが第４レバー４２で押される一方、右側の揺動アーム４３ｂに対して第４レバー４２が逃げる方向に移動するので、一対の揺動アーム４３ａ，４３ｂは右回りに回転して、第３バネ４４を引っ張るとともに第４バネ４６を押し、それによって第５レバー４８も右回りに回転して、熱交換器流路入口箇所２１ｂのダンパ２４−２又は熱交換器流路出口箇所２１ａのダンパ２４−１の羽根体２４ａが閉位置に回動する。羽根体２４ａの縁部が受け部２４ｂに当たると、第５レバー４８の回転動作が止められ、右側の揺動アーム４３ｂの回転は停止する。一方、左側の揺動アーム４３ａは第４レバー４２で押されて右回転を続けるので、前記第３ロッド４５による規制状態が解除される結果、前記第４バネ４４のバネ力が直接作用し、モータ４０によって第４レバー４２を回転させるほど、羽根体２４ａの縁部の受け部２４ｂに対する押圧力が増大する。そして、第４レバー４２の係止部４２ａがリミットスイッチ５１ａに当ってオンした信号がコントローラに入力され、コントローラがモータ４０の作動を停止させる。
【００３９】
熱交換器流路入口箇所２１ｂのダンパ２４−２又は熱交換器流路出口箇所２１ａのダンパ２４−１の羽根体２４ａを開位置に回動させ、バイパス流路入口箇所２２ｂのダンパ２４−４又はバイパス流路出口箇所２２のダンパ２４−３の羽根体２４ａを閉位置に回動させるときは、図９に示すように、第４レバー４２を上記と逆方向に回転駆動させる。以下、各部材が図８に示す動作と逆の動作をする。
【００４０】
なお、この第２実施形態においても、羽根体駆動機構３００の変形構成として、前記バネＳＰを縮み状態のバネに替え、前記伸縮ロッドＳＲを縮み動作を制限する伸縮ロッドに替えるようにしてもよい。すなわち、前記規制手段４００が、駆動動力源からの回動駆動力を受けて各別に回動する一対の駆動アームＫＡの各先端部と前記回動軸体２４ｃに取り付けた従動アームＪＡの両端部の夫々の間に、縮み状態のバネＳＰと、前記縮み状態のバネＳＰに対応して伸び動作を制限する伸縮ロッドＳＲとを並列配置し、前記付勢手段５００が、前記縮み状態のバネＳＰで構成されて、前記縮み状態のバネＳＰを収縮させて前記弾性付勢力を発生させるように構成される。
【００４１】
〔別実施形態〕
上記実施形態では、本発明に係るダンパ装置を排熱回収装置等における排ガス流路分岐用のダンパ装置として用いたが、これ以外に、例えば空調装置において冷気又は暖気の分岐用ダンパ装置として使用する場合にも適用できる。
【図面の簡単な説明】
【図１】本発明のダンパ装置を備えた排熱回収装置の構造を示す断面図
【図２】本発明に係るダンパ装置の第１実施形態の構成を示す断面図
【図３】第１実施形態における羽根体駆動機構の動作を示す図
【図４】第１実施形態の羽根体駆動機構の動作を示す図
【図５】羽根体と受け部との位置関係を示す斜視図
【図６】第２実施形態に係る羽根体駆動機構の構成を示す正面図及び一部断面図
【図７】第２実施形態に係る羽根体駆動機構の構成を示す図
【図８】第２実施形態に係る羽根体駆動機構の動作を示す図
【図９】第２実施形態に係る羽根体駆動機構の動作を示す図
【符号の説明】
２１        流路
２２        流路
２４        開閉ダンパ
２４ａ      羽根体
２４ｂ      受け部
２４ｃ      回動軸体
３００      羽根体駆動機構
３００Ａ    出口側駆動機構部
３００Ｂ    入口側駆動機構部
４００      規制手段
５００      付勢手段
ＪＡ        従動アーム
ＫＡ        駆動アーム
ＳＰ        バネ
ＳＲ        伸縮ロッド
【図１】
2004218951.tif 000003
【図２】
2004218951.tif 000004
【図３】
2004218951.tif 000005
【図４】
2004218951.tif 000006
【図５】
2004218951.tif 000007
【図６】
2004218951.tif 000008
【図７】
2004218951.tif 000009
【図８】
2004218951.tif 000010
【図９】
2004218951.tif 000011